(57)【特許請求の範囲】
【請求項１】
複数の信号入力端子及び少なくとも一つの信号出力端子を有する切換器と、この切換器における入力ソースの選択を行うための操作・制御部と、信号のレベル及び流合雑音を測定するための測定器とによって構成されるＣＡＴＶ伝送路の監視装置であって、
前記複数の信号入力端子から入力された信号のうち、いずれか一つが選択されて、前記信号出力端子から出力されるとともに、前記測定器に入力されるように構成され、
入力ソースの選択は、前記操作・制御部のモードを設定することにより、手動で、或いは、自動的に行うことができるように構成され、
自動的に選択が行われるモードに設定されている場合、チャンネルの選択と、所定時間経過後に行われるその解除が、すべてのチャンネルについて順番に行われるように構成され、
予めメモリに登録しておいたチャンネル以外のチャンネルを、選択の対象から除外し、スキップさせることができるように構成されていることを特徴とする、ＣＡＴＶ伝送路監視装置。
【請求項２】
複数の信号入力端子及び少なくとも一つの信号出力端子を有するメイン切換器と、複数の信号入力端子及び少なくとも一つの信号出力端子を有する複数のサブ切換器と、これらの切換器における入力ソースの選択を行うための操作・制御部と、信号のレベル及び流合雑音を測定するための測定器とによって構成されるＣＡＴＶ伝送路の監視装置であって、
前記複数のサブ切換器の複数の信号入力端子から入力された信号のうち、いずれか一つが選択されて、前記メイン切換器の信号出力端子から出力されるとともに、前記測定器に入力され、
入力ソースの選択は、前記操作・制御部のモードを設定することにより、手動で、或いは、自動的に行うことができるように構成され、
自動的に選択が行われるモードに設定されている場合、チャンネルの選択と、所定時間経過後に行われるその解除が、すべてのチャンネルについて順番に行われるように構成され、
予めメモリに登録しておいたチャンネル以外のチャンネルを、選択の対象から除外し、スキップさせることができるように構成されていることを特徴とする、ＣＡＴＶ伝送路監視装置。
【発明の詳細な説明】
【０００１】
【発明の属する技術分野】
本発明は、ＣＡＴＶ放送局において幹線を監視するための装置に関し、特に、ケーブルの繋ぎ換え作業や、測定器の移動といった煩雑な作業を行うことなく、簡単に、かつ、効率的に幹線の監視を行うことができる、ＣＡＴＶ伝送路監視装置に関する。
【０００２】
【従来の技術】
近年、都市部を中心として普及しつつあるＣＡＴＶ放送事業においては、ＣＡＴＶ放送サービスだけでなく、これと併せてインターネットの接続サービスが実施されることが多い。
【０００３】
インターネット接続サービスは、ＣＡＴＶ放送信号の伝送路（ケーブル）を介して行われるため、放送局（ヘッドエンド）においては、ユーザー（契約者）からの上り信号を受け付けることになるが、最近ではユーザーが増加傾向にあるため、ユーザー側から上ってくる流合雑音が増加し、通信障害が生じてしまうことがある。
【０００４】
そこで放送局は、伝送路を常に監視することにより、いずれかの伝送路において通信障害等の問題が発生したら、すぐに対処できるように備えておく必要がある。放送局における伝送路の監視は、通常、各幹線に設けられているモニター端子に、スペクトラム・アナライザ等の測定器を接続することにより、幹線毎に行われている。
【０００５】
【発明が解決しようとする課題】
しかしながら、数十から数百の幹線を有しているような、比較的規模の大きな放送局において、「幹線毎に伝送路を監視する」という作業を実施することは、容易なことではない。この点について詳細に説明すると、スペクトラム・アナライザ等の測定器は一般に高価であるため、放送局において、幹線の数と同数の測定器を導入することは、経済的な理由から現実的ではない。
【０００６】
従って、各幹線に、１台（若しくは数台）の測定器を順番に接続していき、測定作業を幹線数と同じ回数分実行している、というのが現状である。尚、一回の測定作業には、モニター端子へのケーブルの接続、測定、ケーブルの取り外し、他の幹線の設置場所への測定器の移動、という工程が必要となるため、これを数百回繰り返すとなると、作業者に過大な肉体的負担を強いることになるほか、非常に時間がかかるため、幹線一本について割り当てることができる監視時間が短くなってしまう、という問題がある。
【０００７】
本発明は、上記のような従来技術の問題点を解消すべくなされたものであって、入力ソースを切り換えるだけで、すべての幹線を簡単に監視することができ、従来の監視作業において行われていた、ケーブルの繋ぎ換えや、測定器の移動等の作業を省略することができ、時間と労力を大幅に節約することができるという自動切換式ＣＡＴＶ伝送路監視装置を提供することを目的とする。
【０００８】
【課題を解決するための手段】
本発明の請求項１に記載のＣＡＴＶ伝送路監視装置は、複数の信号入力端子及び少なくとも一つの信号出力端子を有する切換器と、この切換器における入力ソースの選択を行うための操作・制御部と、信号のレベル及び流合雑音を測定するための測定器とによって構成され、前記複数の信号入力端子から入力された信号のうち、いずれか一つが選択されて、前記信号出力端子から出力されるとともに、前記測定器に入力されるように構成され、入力ソースの選択は、前記操作・制御部のモードを設定することにより、手動で、或いは、自動的に行うことができるように構成され、自動的に選択が行われるモードに設定されている場合、チャンネルの選択と、所定時間経過後に行われるその解除が、すべてのチャンネルについて順番に行われるように構成され、予めメモリに登録しておいたチャンネル以外のチャンネルを、選択の対象から除外し、スキップさせることができるように構成されていることを特徴としている。
【０００９】
また、本発明の請求項２に記載のＣＡＴＶ伝送路監視装置は、複数の信号入力端子及び少なくとも一つの信号出力端子を有するメイン切換器と、複数の信号入力端子及び少なくとも一つの信号出力端子を有する複数のサブ切換器と、これらの切換器における入力ソースの選択を行うための操作・制御部と、信号のレベル及び流合雑音を測定するための測定器とによって構成され、前記複数のサブ切換器の複数の信号入力端子から入力された信号のうち、いずれか一つが選択されて、前記メイン切換器の信号出力端子から出力されるとともに、前記測定器に入力されるように構成され、入力ソースの選択は、前記操作・制御部のモードを設定することにより、手動で、或いは、自動的に行うことができるように構成され、自動的に選択が行われるモードに設定されている場合、チャンネルの選択と、所定時間経過後に行われるその解除が、すべてのチャンネルについて順番に行われるように構成され、予めメモリに登録しておいたチャンネル以外のチャンネルを、選択の対象から除外し、スキップさせることができるように構成されていることを特徴としている。
【００１０】
【発明の実施の形態】
以下、図面を参照しながら本発明の実施形態について説明する。図１は、本発明の第１の実施形態に係るＣＡＴＶ伝送路監視装置１の構成図である。この図において、２ａは、信号の切換器であり、３は、スペクトラム・アナライザ等の測定器、４は、操作・制御部である。
【００１１】
切換器２ａには、多数（本実施形態においては１２個、第１〜１２チャンネル）の信号入力端子５と、一つの信号出力端子６が設けられており、信号入力端子５から入力された信号のうち、いずれか一つを選択（入力ソースの選択）して、信号出力端子６から出力できるようになっている。
【００１２】
そして、信号出力端子６から出力された信号は、測定器３に入力されるようになっており、この測定器３によって、入力された信号のレベル等を測定することができるようになっている。
【００１３】
入力ソースの選択は、操作・制御部４によって、手動により、又は、自動的に行うことができる。より具体的には、操作・制御部４のモードを「手動」に設定している場合において、管理者が「８」と入力すると、第８チャンネルの信号入力端子５が選択され、ここから入力された信号が、信号出力端子６より出力されて、測定器３へと伝送される。
【００１４】
また、操作・制御部４のモードを「自動」に設定している場合、まずは特定の一つのチャンネル（例えば、第１チャンネル）が選択され、ここから入力された信号が信号出力端子６より出力される。そして、所定時間経過後に、その選択が解除され、自動的に次のチャンネル（上記の例では、第２チャンネル）が選択される。このようにして、選択と解除がすべてのチャンネルについて順番に行われ、入力ソースが自動的に切り換えられるようになっている。尚、一つのチャンネルが選択されている時間（選択から解除までの時間）は、任意に（例えば、「１秒」、「１０分」、又は、「１時間」等と）設定することができる。
【００１５】
更に、このＣＡＴＶ伝送路監視装置１は、スキップ機能を有しており、予めメモリに登録しておいたチャンネル以外のチャンネルを、選択の対象（監視対象）から除外し、スキップさせることができる。例えば、第１〜１２チャンネルのうち、第１０チャンネルの信号入力端子５には、ケーブルが接続されていないような場合には、メモリに第１〜９、１１、１２チャンネルのみを登録する。そうすると、第１チャンネルから順番に選択（及びその解除）が行われ、やがて第９チャンネルの選択が解除されたとき、本来であればこれに続いて第１０チャンネルが選択されるべきところ、このチャンネルは選択されることなくスキップされ、第１１、１２チャンネルと順次選択されていくことになる。
【００１６】
本実施形態におけるＣＡＴＶ伝送路監視装置１は、以上のような構成に係るものであるところ、従来は困難であったＣＡＴＶ伝送路の監視作業を、極めて効率的に行うことができる。具体的には、ある放送局において監視すべき伝送路の幹線数が１２本である場合、まず、これらの幹線の各モニター端子（合計１２個）と、ＣＡＴＶ伝送路監視装置１の信号入力端子５とをそれぞれケーブルで接続する。そうすると、あとは入力ソースを切り換えるだけで、すべての幹線を簡単に監視することができる。即ち、従来の監視作業において行われていた、ケーブルの繋ぎ換えや、測定器の移動等の作業を省略することができ、時間と労力を大幅に節約することができる。
【００１７】
次に、本発明の第２の実施形態について説明する。図２は、本発明の第２の実施形態に係るＣＡＴＶ伝送路監視装置１の構成図である。この図に示されている切換器２ａ、測定器３、操作・制御部４はいずれも、第１の実施形態のＣＡＴＶ伝送路監視装置１を構成する切換器２ａ等とそれぞれ同様の構造に係るものであり、同様の機能を有するものである。
【００１８】
また、この図において、２ｂ，２ｃは、切換器であり、これらはいずれも切換器２ａと同様の構造に係るものである。即ち、切換器２ａと同様に、多数（本実施形態においては１２個、第１〜１２チャンネル）の信号入力端子８と、一つの信号出力端子９をそれぞれ有しており、信号入力端子８から入力された信号のうち、いずれかの信号を選択して、信号出力端子９から出力させることができるようになっている。
【００１９】
尚、このＣＡＴＶ伝送路監視装置１は、切換器２ａ〜２ｃのほかに、１０個の切換器（２ｄ〜２ｍ、図示せず）を有しており、これら図示しない１０個の切換器２ｄ〜２ｍの各信号出力端子９から出力された信号も、切換器２ａの信号入力端子５にそれぞれ入力されるようになっている。
【００２０】
このように本実施形態においては、合計で１３個の切換器２（２ａ〜２ｍ）を有しているが、切換器２ｂ〜２ｍが外部からの信号入力を受ける位置に配置されているのに対し、切換器２ａは、切換器２ｂ〜２ｍから出力された信号の入力を受ける位置に配置されており、それぞれ役割がわずかに異なっている。そこで、本実施形態においては、以後、上位に位置する切換器２ａを「メイン切換器２ａ」と称し、その下位に位置する切換器２ｂ（〜２ｍ）を「サブ切換器２ｂ（〜２ｍ）」と称することとする。
【００２１】
メイン切換器２ａは、信号入力端子５から入力された信号のうち、いずれか一つを選択して、信号出力端子６から出力できるようになっている。そして、信号出力端子６から出力された信号は、測定器３に入力されるようになっており、この測定器３によって、入力された信号のレベル等を測定することができるようになっている。
【００２２】
入力ソースの選択は、第１の実施形態におけるＣＡＴＶ伝送路監視装置１と同様に、操作・制御部４によって、手動により、又は、自動的に行うことができる。より具体的には、操作・制御部４のモードを「手動」に設定している場合において、管理者が「１，３」と入力すると、メイン切換器２ａにおける第１チャンネルの信号入力端子５が選択されるとともに、この信号入力端子５に接続されているサブ切換器２ｂにおける第３チャンネルの信号入力端子８が選択され、ここから入力された信号が、信号出力端子９及びメイン切換器２ａの信号入力端子５を介して、メイン切換器２ａの信号出力端子６より出力されて、測定器３へと伝送される。
【００２３】
また、操作・制御部４のモードを「自動」に設定している場合、まずは任意のチャンネル（例えば、サブ切換器２ｂの第１チャンネル）が選択され、ここから入力された信号がメイン切換器２ａの信号出力端子６より出力される。そして、所定時間経過後に、その選択が解除され、自動的に次のチャンネル（上記の例では、サブ切換器２ｂの第２チャンネル）が選択される。このようにして、選択と解除がすべてのサブ切換器２ｂ〜２ｍのすべてのチャンネル（合計１４４個）について順番に行われ、入力ソースが自動的に切り換えられるようになっている。尚、一つのチャンネルが選択されている時間（選択から解除までの時間）は、任意に（例えば、「１秒」、「１０分」、又は、「１時間」等と）設定することができる。
【００２４】
更に、このＣＡＴＶ伝送路監視装置１も、スキップ機能を有しており、予めメモリに登録しておいたチャンネル以外のチャンネルを、選択の対象（監視対象）から除外し、スキップさせることができる。
【００２５】
本実施形態におけるＣＡＴＶ伝送路監視装置１は、以上のような構成に係るものであるところ、従来は困難であったＣＡＴＶ伝送路の監視作業を、極めて効率的に行うことができる。具体的には、ある放送局において監視すべき伝送路の幹線数が１４４本である場合、まず、これらの幹線の各モニター端子（合計１４４個）と、ＣＡＴＶ伝送路監視装置１のサブ切換器２ｂ〜２ｍの信号入力端子８とをそれぞれケーブルで接続する。そうすると、あとは入力ソースを切り換えるだけで、すべての幹線を簡単に監視することができる。即ち、従来の監視作業において行われていた、ケーブルの繋ぎ換えや、測定器の移動等の作業を省略することができ、時間と労力を大幅に節約することができる。
【００２６】
尚、操作・制御部４と切換器２との間で行われるデータの送受信を、無線通信手段や、放送局内のネットワーク（イントラネット）、或いは、長尺の専用ケーブル等によって行うように構成することもでき、この場合には、操作・制御部４を切換器２等から物理的に離れた位置に設置することができ、幹線のモニター端子が設けられている場所（作業場）から離れた事務室等において、切換器２等の切換操作及び伝送路の監視作業を、遠隔的に行うことができる。
【００２７】
また、第１の実施形態及び第２の実施形態において、切換器２ａ〜２ｍに形成される信号入力端子５，８の数は、いずれも「１２個」となっているが、この数に限定されるものではなく、例えば、「４個」であっても、また、「１６個」であっても良い。
【００２８】
【発明の効果】
以上に説明したように、本発明に係るＣＡＴＶ伝送路監視装置は、数百本の幹線を有しているようなＣＡＴＶ放送局においても、ケーブルの繋ぎ換えや、測定器の移動作業等を行うことなく、伝送路の監視を簡単かつ効率的に行うことができる。
【００２９】
また、測定器を幹線と同じ数だけ用意する必要がないため、設備費用、ランニングコストを低減化することができる。
【図面の簡単な説明】
【図１】  本発明の第１の実施形態に係るＣＡＴＶ伝送路監視装置１の構成図。
【図２】  本発明の第２の実施形態に係るＣＡＴＶ伝送路監視装置１の構成図。
【符号の説明】
１：ＣＡＴＶ伝送路監視装置、
２，２ａ〜ｍ：切換器、
３：測定器、
４：操作・制御部、
５，８：信号入力端子、
６，９：信号出力端子、
【図１】
0003759911.tif 000002
【図２】
0003759911.tif 000003